(57)【特許請求の範囲】
【請求項１】
ケージ本体の開口部の下側縁および上側縁にそれぞれレールを配設し、該レールに沿って水平方向に摺動可能なる摺動体を設け、扉の一側縁の下部および上部を該摺動体にそれぞれ軸支することにより該扉を前方へ回転可能に支持し、該扉を閉状態に保持する錠を備え、該錠を解錠し該扉を前記摺動体を支点として前方に回転させたうえで該扉を水平方向に動かすことで前記摺動体が前記レールに沿って摺動し、該扉が開かれるようにしたことを特徴とするペット用ケージ。
【請求項２】
前記扉の前方への回転可能な角度を制限する回転規制手段を設けたことを特徴とする請求項１に記載したペット用ケージ。
【請求項３】
前記回転規制手段は、前記レールに第２の摺動体を設け、該第２の摺動体と前記扉の軸支部付近とをリンクにより連節した構成であることを特徴とする請求項２に記載したペット用ケージ。
【発明の詳細な説明】
【技術分野】
【０００１】
本発明は、犬、猫等のペット（愛玩動物）を収納・展示するためペットショップ等に設置されるペット用ケージに関するものである。
【背景技術】
【０００２】
犬、猫等のペットを収納・展示するためにペットショップ等に設置されるペット用ケージは、一般に前面または背面が開放面となっており、該開放面の一側縁に、板状、網格子状、或いはガラス板からなる扉が水平面内で回転自在なるように軸支され、該開放面の他側縁には錠が設けられ、該錠を開けて該扉を手前に引くことにより、ペットを出し入れできるように構成されている。
また、下記特許文献１、２に示されたペット用ケージでは、開放面に一対の扉が観音開き式に設けられ、該扉を閉状態にロックする閂錠が備えられている。
【特許文献１】特開平１０−２４６１５１号公報
【特許文献２】特開２００８−１７８２９９号公報
【発明の開示】
【発明が解決しようとする課題】
【０００３】
ところで、ペットショップでは多数のペット用ケージが縦横に隣り合って密に並べられるが、ペットを該ケージから出し入れするに際し、扉が従来のように水平面内で回転自在なるように軸支されていると、該扉を手前に引いたときに開口が一気に大きくなるので、その開口部からペットを外に逃がしてしまうおそれがあった。即ち、扉を手前に引く状態ではケージ内に手が未だ入れられないのでペットを手で捕まえておくことができず、ペットを逃がしてしまうおそれがあった。同様のことはケージ内にペットを入れようとする際にもあった。即ち、ペットをケージ内に入れて手を離してから素早く扉を締めないとペットを逃がしてしまうおそれがあった。また、こうした従来の扉は、開くと大きく前方に張り出すので、通路を邪魔することがあり、衝突事故を起こす危険があった。
なお、通路を邪魔しないようにするため引き戸のように横にスライドする扉を設けることも考えられたが、そうすると、扉を開けようとする際に該扉が横隣に設置されたケージに衝突することとなるので、横に扉を開けるためのスペースが必要になるといった問題がある。
【課題を解決するための手段】
【０００４】
本発明に係るペット用ケージは上記課題を解決しようとするもので、ケージ本体の開口部の下側縁および上側縁にそれぞれレールを配設し、該レールに沿って水平方向に摺動可能なる摺動体を設け、扉の一側縁の下部および上部を該摺動体にそれぞれ軸支することにより該扉を前方へ回転可能に支持し、該扉を閉状態に保持する錠を備え、該錠を解錠し該扉を前記摺動体を支点として前方に回転させたうえで該扉を水平方向に動かすことで前記摺動体が前記レールに沿って摺動し、該扉が開かれるようにしたことを特徴とする。
また本発明は、上記ペット用ケージにおいて、前記扉の前方への回転可能な角度を制限する回転規制手段を設けたことを特徴とする。
また本発明は、上記ペット用ケージにおける回転規制手段は、前記レールに第２の摺動体を設け、該第２摺動体と前記扉の軸支部付近とをリンクにより連節した構成であることを特徴とする。
【発明の効果】
【０００５】
本発明に係るペット用ケージでは、例えば同様のケージが横隣に並べられていても扉を衝突することなく開け閉めできるとともに、大きく前方へ張り出すことなく扉が開けられるので、事故のおそれなく、安全に使用できる。また、扉を摺動させることによりケージを常に適宜幅だけ開口できるので、ペットを出し入れする際に従来のようにペットを逃がしてしまうおそれがなく使い勝手がよい。
【図面の簡単な説明】
【０００６】
【図１】本発明の実施形態を示したペット用ケージの扉閉止状態の正面図。
【図２】図１のペット用ケージの右側面図。
【図３】図１のＡ−Ａ線断面図。
【図４】図１のＢ−Ｂ線断面図。
【図５】図１のＣ−Ｃ線断面図。
【図６】本発明の実施形態を示したペット用ケージの扉開状態の要部の平面図。
【図７】本発明の実施形態を示したペット用ケージの扉開状態の斜視図。
【発明を実施するための最良の形態】
【０００７】
次に本発明の実施形態を図面に従い説明する。ケージ本体１は、直方形に形成されたフレーム２に底板３、両側板４、背板５、天板６が固着され、前面の下縁部には一定幅の縁板７ａが起立状に形成され、前面の上縁部には一定幅の縁板７ｂが垂下状に形成され、該縁板７ａと縁板７ｂとの間が開口部８となる。そして、該開口部８の下側縁にチャンネル部材からなるレール９ａをそのチャンネル開口側が上を向くように固着し、該開口部８の上側縁にチャンネル部材からなるレール９ｂをそのチャンネル開口側が下を向くように固着し、レール９ａとレール９ｂが相対するように設けられる。なお、該各レール９ａ，９ｂの両端部には該各レール９ａ，９ｂの端部開口を塞ぐ軸状のストッパ９ｘが横断状に貫挿されている。
【０００８】
そして、第１の摺動体１０ａと第２の摺動体１１ａを前記レール９ａに沿って摺動自在なるように設け、第１の摺動体１０ｂと第２の摺動体１１ｂを前記レール９ｂに沿って摺動自在なるように設ける。第１の摺動体１０ａ，１０ｂは、レール９ａ，９ｂの外面に摺動可能に配置された軸受板１２ａ，１２ｂとレール９ａ，９ｂ内に配設されたプラスチック等の滑り易い材料からなるブロック状のシュー１３ａ，１３ｂとをそれぞれ一体的に固着してなる。また、第２の摺動体１１ａ，１１ｂは、レール９ａ，９ｂの外面に摺動可能に配置された軸受板１４ａ，１４ｂとレール９ａ，９ｂ内に配設されたプラスチック等の滑り易い材料からなるブロック状のシュー１５ａ，１５ｂとをそれぞれ一体的に固着してなる。
【０００９】
扉１６は長方形のフレーム１７内に透明な板ガラス１８が嵌められており、該扉１６の一側縁の下部および上部に軸支部材１９ａ，１９ｂが固着され、該軸支部材１９ａに下方に向けて突設された支軸２０ａを前記軸受板１２ａに回転自在なるように貫挿し、該軸支部材１９ｂに上方に向けて突設された支軸２０ｂを前記軸受板１２ｂに回転自在なるように貫挿することにより、該扉１６は図６に矢印ａで示したように該支軸２０ａ，２０ｂを支点として水平面内で前方に回転可能なるように支持される。
【００１０】
次に、扉１６の他側縁（自由端縁）に設けられた錠２１を説明する。錠２１は前記扉１６の回転を制止することによりケージ本体１の開口部８を該扉１６によって閉状態に保持するもので、鍵穴２２が該扉１６の前面に露呈するように設けられ、該鍵穴２２に所定のキーを差し込んで回転することにより該扉１６の内側に突設された鉤状の係合片２３が回転する。そして、ケージ本体１の開口部８の内側縁の前記フレーム２の一部に縦長スリット状の係合孔２４が形成され、鍵穴２２にキーを差し込んで係合片２３を回転させることにより、該係合片２３が該係合孔２４に嵌脱する構成である。なお、係合片２３の基部はカバー２５によって囲われていて、ペットが内部から回転操作できないようにしている。
【００１１】
次に、前記扉１６の前方への回転可能な角度を制限する回転規制手段を説明する。該回転規制手段は、前記レール９ａ，９ｂに設けられた第２の摺動体１１ａ，１１ｂと該扉１６の軸支部付近とをリンク２６ａ，２６ｂにより連節する構成である。即ち、扉１６の下側縁の下面にピン２７ａを固植し、前記摺動体１１ａの軸受板１４ａにピン２８ａを固植し、該ピン２７ａとピン２８ａにリンク２６ａの両端部を枢着するとともに、扉１６の上側縁の上面にピン２７ｂを固植し、前記摺動体１１ｂの軸受板１４ｂにピン２８ｂを固植し、該ピン２７ｂとピン２８ｂにリンク２６ｂの両端部を枢着してなる。
また、扉１６の下側縁および上側縁のフレーム１７の内面に板バネ２９ａ，２９ｂをそれぞれ内方に向けて突出するように固着し、該板バネ２９ａの先端部が前記縁板７ａに弾性的に圧着し、該板バネ２９ｂの先端部が前記縁板７ｂに弾性的に圧着し得るようにしている。
【００１２】
このように構成したペット用ケージでは、錠２１を解錠することで、扉１６は前記摺動体１１ａ，１１ｂに貫挿された支軸２０ａ，２０ｂを支点として図６に矢印ａで示したように前方に回転し得る。なお、該扉１６の前方への回転可能な角度は前記リンク２６ａ，２６ｂによって一定以下に制限される。このためこの状態でペットが逃げ出すことはない。次いで扉１６の前方への回転状態をこの程度に保ったまま、該扉１６を図６の矢印ｂで示したように左方向、即ち、水平方向に動かすと、前記摺動体１０ａ，１０ｂ、摺動体１１ａ，１１ｂはそれぞれレール９ａ，９ｂに沿って同図中左方向に摺動し、該扉１６は２点鎖線で示したように移動する。このため、図７にも示したように開口部８がその移動距離に応じて大きくなり、ペットを出し入れできるようになる。
【００１３】
なお、このように扉１６は前方に回転させた状態でレール９ａ，９ｂに沿って水平に移動されるので、横隣に同様のケージ等が配置されていてもそのケージ等の物品に衝突することなく、該扉１６を開けることができ、該扉１６は開けた際に前方に大きく張り出すこともないので、通路を邪魔するおそれもなく安全に開閉できる。
また、扉１６は必要に応じて適宜距離だけレール９ａ，９ｂに沿って水平に移動させられるので、ペットの大きさに従い開口幅を所望に調節することができる。このため出し入れ時にペットが逃げ出すことが防止されるとともに、使い勝手が向上する。
また、扉１６を最大限横方向に動かすことで、ケージ本体１の前面を略々全幅にわたって広く開けることができるので、ケージ本体１内の隅々まで手が届き、掃除などの必要が生じたときに作業がし易くなる。
【００１４】
なお、この実施形態では透明な板ガラス１８を設けた扉１６を示したが、通気性のある網格子状、柵状、或いはボード状の扉にしてもよい。
また、この実施形態ではケージ本体１の前面にのみ扉１６を設けたが、ケージ本体１の背面や側面、或いは上面に同様の扉を設け、ペットを出し入れできるようにしてもよい。
また、図示していないが、前記摺動体１０ａと前記摺動体１０ｂとは一体的に連結した構成とすることもでき、このように一体的な構成とすることによっては、該摺動体１０ａ，１０ｂのレール９ａ，９ｂに沿っての摺動が一層スムースになり得る。また、摺動体１０ａ，１０ｂに滑車を設け、該滑車が回転することで、摺動体１０ａ，１０ｂをレール９ａ，９ｂに沿って摺動させる構造としてもよい。摺動体１１ａと摺動体１１ｂについても同様に一体的な構成としても、滑車を設けた構造としてもよい。
さらに、第１の摺動体１０ａと第２の摺動体１１ａとを一体の構造とし、第１の摺動体１０ｂと第２の摺動体１１ｂとを一体の構造とすることもできる。
【符号の説明】
【００１５】
１                                ケージ本体
８                                開口部
９ａ，９ｂ                        レール
１０ａ，１０ｂ                    第１の摺動体
１１ａ，１１ｂ                    第２の摺動体
１６                              扉
２０ａ，２０ｂ                    支軸
２１                              錠
２６ａ，２６ｂ                    リンク
２７ａ，２８ａ，２７ｂ，２８ｂ    ピン
【図１】
0006552862.tif 000002
【図２】
0006552862.tif 000003
【図３】
0006552862.tif 000004
【図４】
0006552862.tif 000005
【図５】
0006552862.tif 000006
【図６】
0006552862.tif 000007
【図７】
0006552862.tif 000008